(57)【要約】【課題】  複数のレイアウト領域が重なることで主要被写体の一部が隠れたアルバム画像が作成されることを防止する。【解決手段】  テンプレートＴＭ１は、四角形のレイアウト領域ＬＡ１と円形のレイアウト領域ＬＡ２を有している。各レイアウト領域には、静止画を嵌め込む位置を決める基準となる基準点ＰＴ３，ＰＴ４が設定されている。テンプレートＴＭ１を編集し、２つのレイアウト領域の位置及び大きさを変更することでレイアウト領域ＬＡ３とレイアウト領域ＬＡ４を設定する。レイアウト領域ＬＡ３とレイアウト領域ＬＡ４が重なった重複領域が生じると、重複領域の下層側に位置するレイアウト領域ＬＡ３の基準点ＰＴ３が移動し、主要被写体の一部がレイアウト領域ＬＡ４によって隠れることのないように静止画を嵌め込む位置が移動する。【選択図】        図５
2007013467.tif 000002
【特許請求の範囲】
【請求項１】
複数の静止画をそれぞれ嵌め込むための複数のレイアウト領域を有するテンプレートが使用され、前記レイアウト領域に設定された基準点と予め指定された前記静止画の注目点とを互いに一致させ、前記テンプレートに前記静止画を合成したアルバム画像を作成する画像合成装置において、
前記テンプレートから前記複数のレイアウト領域が互いに重なり合う重複領域を検出する重複領域検出手段と、
前記重複領域の位置又は大きさに基づいて、前記重複領域を有するレイアウト領域の基準点を移動させ、前記静止画の嵌め込まれる位置を変更する基準点調整手段とを備えたことを特徴とする画像合成装置。
【請求項２】
前記静止画上で前記注目点を中心とする注目領域を設定する注目領域設定手段と、
前記注目領域が前記レイアウト領域内に収まるように前記静止画をトリミングする領域を決めるトリミング領域決定手段とを備えたことを特徴とする請求項１記載の画像合成装置。
【請求項３】
前記基準点調整手段は、上層側のレイアウト領域と、これにより覆い隠される下層側のレイアウト領域とに設定された前記複数のレイアウト領域のうち、下層側のレイアウト領域の基準点を移動させることを特徴とする請求項１又は２記載の画像合成装置。
【請求項４】
複数の静止画がそれぞれレイアウトされる複数のレイアウト領域を有するテンプレートが使用され、前記レイアウト領域に設定された基準点と予め指定された前記静止画の注目点とを互いに一致させ、前記テンプレートに前記静止画を合成したアルバム画像を作成するための画像合成プログラムにおいて、
前記テンプレートから前記複数のレイアウト領域が互いに重なり合う重複領域を検出する重複領域検出手段と、
前記重複領域の位置又は大きさに基づいて、前記重複領域を有するレイアウト領域の基準点を移動させ、前記静止画の嵌め込まれる位置を変更する基準点調整手段としてコンピュータを機能させることを特徴とする画像合成プログラム。
【発明の詳細な説明】
【技術分野】
【０００１】
本発明は、静止画を嵌め込むためのレイアウト領域が設定されたテンプレートを使用してアルバム画像を作成する画像合成装置及びこのための画像合成プログラムに関する。
【背景技術】
【０００２】
デジタルスチルカメラ等を用いて撮影された静止画は、プリント写真として楽しむ他に、家庭用テレビ等の画面上に表示するスライドショーとして楽しむことができる。また、静止画を１枚ずつプリント又は表示することに限られず、複数の静止画を１つの画像に合成したアルバム画像として観賞することもできる。アルバム画像を作成する際には、例えば特許文献１に記載されているように、静止画をレイアウトするレイアウト領域が設定されたテンプレートを使用すると便利である。レイアウト領域に任意の静止画を指定すると、静止画の中央点とレイアウト領域の中央点とが一致するように、テンプレート上における静止画の位置、大きさ、形状等が自動的に決められる。従って、１頁分のアルバム画像が容易に作成でき、多数の静止画をアルバム画像として編集する手間が少なくなる。
【０００３】
レイアウト領域の数や位置が同じテンプレートから全てのアルバム画像を作成すると、アルバム画像を観賞する時に単調感が生じるために好ましくない。また、レイアウト領域の数や位置が異なる様々な種類のテンプレートが予め用意されていたとしても、テンプレートを選択する作業が面倒になるだけである。このため、レイアウト領域の数や位置、大きさ等を変更すること、すなわちテンプレートの編集を可能にすることにより、様々なパターンのテンプレートを使用したアルバム画像を容易に作成できる。
【特許文献１】特許２６８７７５５号公報
【発明の開示】
【発明が解決しようとする課題】
【０００４】
しかしながら、２つのレイアウト領域の一部を重ねたテンプレートのように、２つの静止画の一部が互いに重なる場合、一方の静止画の主要被写体が他方の静止画によって隠されてしまい、見映えの悪いアルバム画像となってしまうという問題点がある。
【０００５】
本発明は、上記問題点を考慮してなされたもので、レイアウト領域が重なり合ったテンプレートを使用するときに、主要被写体の隠れる部分が生じることのないように、レイアウト領域の適切な位置に静止画を嵌め込むことができる画像合成装置及びそのための画像合成プログラムを提供することを目的とする。
【課題を解決するための手段】
【０００６】
上記目的を達成するために、本発明は、複数の静止画がそれぞれレイアウトされる複数のレイアウト領域を有するテンプレートが使用され、前記レイアウト領域に設定された基準点と予め指定された前記静止画の注目点とを互いに一致させ、前記テンプレートに前記静止画を合成したアルバム画像を作成する画像合成装置において、前記テンプレートから前記複数のレイアウト領域が互いに重なり合う重複領域を検出する重複領域検出手段と、前記重複領域の位置又は大きさに基づいて、前記重複領域を有するレイアウト領域の基準点を移動させ、前記静止画の嵌め込まれる位置を変更する基準点調整手段とを備えたことを特徴とし、重複領域の発生又は重複領域の変化に応じて、レイアウト領域の基準点を調整するものである。
【０００７】
また、前記静止画上で前記注目点を中心とする注目領域を設定する注目領域設定手段と、前記注目領域が前記レイアウト領域内に収まるように前記静止画をトリミングする範囲を決めるトリミング領域決定手段とを備えたことを特徴とする。
【０００８】
また、前記基準点調整手段は、上層側のレイアウト領域と、これにより覆い隠される下層側のレイアウト領域とに設定された前記複数のレイアウト領域のうち、下層側のレイアウト領域の基準点を移動させることを特徴とし、重複領域を有する一方のレイアウト領域の基準点を移動するものである。
【０００９】
本発明の画像合成プログラムは、複数の静止画がそれぞれレイアウトされる複数のレイアウト領域を有するテンプレートが使用され、前記レイアウト領域に設定された基準点と予め指定された前記静止画の注目点とを互いに一致させ、前記テンプレートに前記静止画を合成したアルバム画像を作成するためのものであり、前記テンプレートから前記複数のレイアウト領域が互いに重なり合う重複領域を検出する重複領域検出手段と、前記重複領域の位置又は大きさに基づいて、前記重複領域を有するレイアウト領域の基準点を移動させ、前記静止画の嵌め込まれる位置を変更する基準点調整手段としてコンピュータを機能させることを特徴とする。
【発明の効果】
【００１０】
本発明によれば、レイアウト領域の基準点と、静止画の注目点とが一致させて静止画をレイアウト領域に嵌め込む際に、互いのレイアウト領域が重なった重複領域の発生、又は既存の重複領域の位置や大きさの変化に対応して、レイアウト領域の基準点を移動させることにより、静止画の嵌め込まれる位置を変更しているから、静止画の主要被写体の一部が重複領域によって見づらくなることを防止でき、見映えのよいアルバム画像を得ることができる。
【００１１】
また、静止画の注目点をその中心とする注目領域を静止画上で指定し、注目領域の画像がレイアウト領域内に収まるように静止画のトリミング領域を決定するから、主要被写体が小さく写る静止画であっても、レイアウト領域内で主要被写体が大きく写るアルバム画像を作成することができる。
【００１２】
また、基準点を調整するために、上層側のレイアウト領域と、これにより覆い隠される下層側のレイアウト領域とに設定された前記複数のレイアウト領域のうち、下層側のレイアウト領域の基準点を移動させるから、重複領域によって主要被写体が隠れることのない上層側の静止画の嵌め込み位置を変える必要がない。これにより、上層側のレイアウト領域には、バランスの良い適切な位置及び大きさで主要被写体が写るように静止画を嵌め込むことができる。
【発明を実施するための最良の形態】
【００１３】
図１において、アルバム作成装置１０は、ＲＯＭ１１に記憶されたアルバム作成プログラムＰＧ１を実行することにより制御部１２として機能するＣＰＵ１３を備えている。ＣＰＵ１３には、画像データ読み取り部１４，画像表示部１５，操作パネル１６が接続されている。画像データ読み取り部１４は、メモリカードから画像データを読み取るためのコネクタ、及びＣＤ等の光ディスクから画像データを読み取るためのディスクドライブ等から構成される。画像表示部１５は、液晶ディスプレイを備え、画像データとして読み取られた静止画、及び静止画を使用して作成されたアルバム画像等を表示する。操作パネル１６は、アルバム画像の作成時に必要なユーザーの入力操作を受付ける。
【００１４】
ＲＯＭ１１には、アルバム作成プログラムＰＧ１と、アルバム作成に使用されるテンプレートデータＴＤ１等が記憶されている。ＲＡＭ１７には、画像データ読み取り部１４から読み取られた画像データＰＤ１と、ＣＰＵ１３により作成されたアルバム画像データＡＤ１等が記憶される。ＣＰＵ１３は、アルバム作成プログラムＰＧ１を実行し、注目領域設定部２０と、テンプレート編集部２１と、重複領域検出部２２と、基準点調整部２３と、トリミング領域決定部２４と、画像合成部２５として機能する。
【００１５】
図２において、注目領域設定部２０は、ＲＡＭ１７に画像データとして記憶された静止画ＰＩＣ１，静止画ＰＩＣ２を画像表示部１５にそれぞれ表示し、ユーザーが操作パネル１６を介して静止画上の特定のポイントを指定することにより決まる注目領域Ａ１，注目領域Ａ２を設定する。注目領域Ａ１、注目領域Ａ２は、それぞれ静止画ＰＩＣ１，静止画ＰＩＣ２の主要被写体を決定する領域を表す。注目領域Ａ１は、その中央部に写る二人の子供が主要被写体であり、二人の子供を囲むように正方形に近い四角形に設定されている。注目領域Ａ２は、その中央部に写る車が主要被写体であり、車の形状に合わせて例えば横長の長方形に設定されている。注目領域Ａ１，注目領域Ａ２は、四角形の対角に位置する２つの頂点を指定することによりその形状と大きさが定められる。注目領域Ａ１，注目領域Ａ２が決定すると、それぞれの対角線の中点が注目点ＰＴ１，注目点ＰＴ２として求められる。
【００１６】
図３において、テンプレート編集部２１は、テンプレートデータＴＤ１として予め用意された複数種類のテンプレートからユーザーにより任意に選択された１つのテンプレートＴＭ１の各種の設定を管理する。テンプレートＴＭ１は、例えば、長方形のレイアウト領域ＬＡ１と、円形のレイアウト領域ＬＡ２と、背景領域ＢＡ１とを有している。背景領域ＢＡ１は、テンプレートＴＭ１に嵌め込まれる静止画を装飾する領域であり、例えば、特定の色で塗り潰された背景の上にイラストや文字等が付加されている。テンプレートＴＭ１には、レイアウト領域ＬＡ１とレイアウト領域ＬＡ２の形状、位置、大きさを決めるレイアウト情報と、静止画を嵌め込む際の基準となる基準点ＰＴ３，基準点ＰＴ４が設定されている（図３（ａ））。なお、基準点ＰＴ３は四角形状をしたレイアウト領域ＬＡ１の対角線の中点であり、基準点ＰＴ４は円形のレイアウト領域ＬＡ２の中心点に設定されている。
【００１７】
例えば、レイアウト領域ＬＡ１に静止画ＰＩＣ１を割り付ける指示が与えられると、注目領域Ａ１の注目点ＰＴ１とレイアウト領域ＬＡ１の基準点ＰＴ３とが一致するように静止画ＰＩＣ１がレイアウト領域ＬＡ１に嵌め込まれる。同様に、レイアウト領域ＬＡ２に静止画ＰＩＣ２を割り付ける指示が与えられると、注目領域Ａ２の注目点ＰＴ２とレイアウト領域ＬＡ２の基準点ＰＴ４とが一致するように静止画ＰＩＣ２がレイアウト領域ＬＡ２に嵌め込まれる。
【００１８】
レイアウト領域ＬＡ１とレイアウト領域ＬＡ２は、レイアウト情報を変更することにより、その形状、位置、大きさを変更することができる。例えば、テンプレートデータＴＤ１としてレイアウト情報が初期状態に設定されているテンプレートＴＭ１に対し、ユーザーがレイアウト領域ＬＡ１とレイアウト領域ＬＡ２の大きさ及び位置の変更を示す指示を与えることにより、レイアウト領域ＬＡ３とレイアウト領域ＬＡ４が新しく設定される（図３（ｂ））。円形のレイアウト領域ＬＡ４は、レイアウト領域ＬＡ３の右下隅の一部と重なった状態になっている。テンプレートＴＭ１は、長方形のレイアウト領域ＬＡ３が下層側、円形のレイアウト領域ＬＡ４が上層側に設定され、レイアウト領域ＬＡ３の一部がレイアウト領域ＬＡ４によって隠される。なお、ユーザーの入力指示により、レイアウト領域ＬＡ３を上層側、レイアウト領域ＬＡ４を下層側に設定することもできる。
【００１９】
重複領域検出部２２は、テンプレートＴＭ１のレイアウト情報に基づき、テンプレートＴＭ１から、複数のレイアウト領域が互いに重なり合う重複領域を検出する。例えば、図３（ａ）のように、レイアウト領域ＬＡ１，レイアウト領域ＬＡ２が設定された初期状態のテンプレートＴＭ１では、互いのレイアウト領域が離れているので重複領域ＯＡ１は存在しない。一方、図３（ｂ）のように、レイアウト領域ＬＡ３とレイアウト領域ＬＡ４とが新たに設定されたテンプレートＴＭ１では、レイアウト領域が互いに重なった重複領域ＯＡ１が生じる。重複領域検出部２２は、テンプレートＴＭ１の編集によって生じた重複領域ＯＡ１を検出し、その大きさ（面積）及び中心点を算出する。また、テンプレートの種類によっては、編集されていない初期状態で重複領域ＯＡ１が存在し、編集されることによって重複領域ＯＡ１が小さくなる場合や、重複領域ＯＡ１が無くなる場合がある。このような場合でも、重複領域検出部２２は、重複領域ＯＡ１の中心点の位置及び面積の変化を算出する。
【００２０】
基準点調整部２３は、重複領域ＯＡ１の有無、又は重複領域ＯＡ１の中心点の位置や面積の変化に応じて、静止画をレイアウト領域に嵌め込む際の基準となる基準点ＰＴ３，ＰＴ４を移動させる。上述したように、レイアウト領域ＬＡ１のように長方形であれば、対角線の中点として基準点ＰＴ３が設定され、レイアウト領域ＬＡ２のように円形であれば、円の中心点が基準点ＰＴ４として設定される。基準点は、主に、個々のレイアウト領域の形状から求められる中心点として設定されているが、必ずしもレイアウト領域の中心点を基準点に設定されている必要はない。
【００２１】
基準点調整部２３は、重複領域検出部２２によりテンプレートＴＭ１に新たな重複領域ＯＡ１が生じたことが検出された際、重複領域ＯＡ１の下層側に位置するレイアウト領域ＬＡ３の基準点ＰＴ３を基準点ＰＴ５に移動する処理を行う。基準点の移動方向及び移動距離は、主に、重複領域ＯＡ１の中心点から基準点ＰＴ３に向かう方向、及びレイアウト領域ＬＡ３の大きさに対する重複領域ＯＡ１の大きさとによってそれぞれ決定される。これにより、レイアウト領域ＬＡ３の右下部分に重複領域ＯＡ１が位置している場合、基準点ＰＴ５は、基準点ＰＴ３よりも左斜め上方の位置に移動方向が決定される。また、レイアウト領域ＬＡ３に対し、重複領域ＯＡ１が占める面積の割合によって基準点ＰＴ３と基準点ＰＴ５の距離が決定する。
【００２２】
トリミング領域決定部２４は、ユーザーにより注目領域Ａ１が決められた静止画ＰＩＣ１と、注目領域Ａ２が決められた静止画ＰＩＣ２を、テンプレートＴＭ１のレイアウト領域ＬＡ３とレイアウト領域ＬＡ４にそれぞれ嵌め込むために、静止画ＰＩＣ１及び静止画ＰＩＣ２をそれぞれ切り出す範囲を定めるトリミング領域を決定する。このトリミング領域は、レイアウト領域ＬＡ３，ＬＡ４の形状及び各基準点ＰＴ５，ＰＴ４の位置と、注目領域Ａ１，注目領域Ａ２との形状とに基づいてそれぞれ決められる。
【００２３】
例えば、四角形のレイアウト領域ＬＡ３に対し、四角形の注目領域Ａ１が設定されている場合には、基準点ＰＴ５と注目点ＰＴ１を合致させたときに、注目領域Ａ１がレイアウト領域ＬＡ３の内部に最も倍率が大きくなるようにトリミング領域が決定される。また、円形のレイアウト領域ＬＡ４に対し、四角形の注目領域Ａ２が設定されている場合には、基準点ＰＴ４と注目点ＰＴ２を合致させると、注目領域Ａ２の対角線の長さがレイアウト領域ＬＡ４の直径の長さが一致するので、これを満足するようにトリミング領域が決定される。
【００２４】
画像合成部２５は、決定されたトリミング領域に従って静止画ＰＩＣ１，静止画ＰＩＣ２のトリミングを行い、トリミングによって得られた２つの画像をテンプレートＴＭ１のレイアウト領域ＬＡ３とレイアウト領域ＬＡ４にそれぞれ嵌め込み、テンプレートＴＭ１に静止画ＰＩＣ１，静止画ＰＩＣ２を合成したアルバム画像を作成する。
【００２５】
次に、アルバム作成装置１０の作用について説明する。図４において、画像データ読み取り部１４にメモリカード又は光ディスクをセットすると、これを検知した制御部１２は、セットされた記憶媒体から静止画の画像データＰＤ１を読み出し、読み出した画像データＰＤ１をＲＡＭ１７にコピーする。制御部１２は、画像データＰＤ１のコピーが終了すると、テンプレートデータＴＤ１をＲＯＭ１１から読み出し、複数種類のテンプレートを画像表示部１５に表示する。ユーザーは、複数種類のテンプレートからアルバム画像の作成に使用するテンプレートＴＭ１を選択する指示を行う。
【００２６】
制御部１２は、ＲＡＭ１７にコピーされた画像データＰＤ１を読み出し、画像表示部１５に複数の静止画をサムネイル画像として一覧表示する。ユーザーは、サムネイル画像を参考にして、テンプレートＴＭ１に合成する静止画を選択する。静止画を選択すると、各静止画の注目領域を設定するステップに移る。画像表示部１５には、選択した静止画が表示され、ユーザーは静止画上の２つのポイントを指定して主要被写体を決める注目領域Ａ１、注目領域Ａ２を設定する。画像表示部１５には、指定された２つのポイントが対角線として結ばれた長方形の注目領域Ａ１，注目領域Ａ２が表示される。また、注目領域Ａ１，注目領域Ａ２が設定されると同時にその中心である注目点ＰＴ１、注目点ＰＴ２が算出される。なお、注目領域の設定を省略した場合には、静止画全体が注目領域とみなされ、静止画の中心が注目点に設定される。
【００２７】
重複領域検出部２２は、テンプレートＴＭ１のレイアウト情報を解析し、テンプレートＴＭ１から重複領域ＯＡ１を検出する処理を実行する。テンプレートＴＭ１の編集をしていなければ、テンプレートＴＭ１から重複領域ＯＡ１は検出されることはなく、そのまま次のステップに移る。トリミング領域決定部２４は、静止画ＰＩＣ１の注目点ＰＴ１とレイアウト領域ＬＡ１の基準点ＰＴ３とを合致させた時に、注目領域Ａ１がレイアウト領域ＬＡ１の内部に収まる最も大きい倍率となるように静止画ＰＩＣ１のトリミング領域を決定する。同様に、静止画ＰＩＣ２のトリミング領域が決定される。画像合成部２５は、決定されたトリミング領域に従って静止画ＰＩＣ１、静止画ＰＩＣ２を切り出し、切り出した画像をテンプレートＴＭ１のレイアウト領域ＬＡ１、レイアウト領域ＬＡ２にそれぞれ合成する。画像表示部１５には、作成されたアルバム画像が表示される。
【００２８】
ユーザーは作成されたアルバム画像を確認し、問題等がなければ次のアルバム画像を作成する入力指示を行う。一方、作成されたアルバム画像に不満な点等が見つかれば、テンプレートＴＭ１を編集し、これを修正する入力指示を行う。例えば、各静止画の主要被写体を大きく表示する場合には、レイアウト領域ＬＡ１、レイアウト領域ＬＡ２を大きくし、各静止画をレイアウトする位置を変える場合には、レイアウト領域ＬＡ１，レイアウト領域ＬＡ２の位置を変更する。
【００２９】
図５において、テンプレートＴＭ１を編集し、レイアウト領域ＬＡ１、レイアウト領域ＬＡ２に比べてその位置と大きさの異なるレイアウト領域ＬＡ３とレイアウト領域ＬＡ４を新たに設定すると、重複領域検出部２２は、レイアウト領域ＬＡ３とレイアウト領域ＬＡ４とが重なり合った重複領域ＯＡ１を検出し、検出した重複領域ＯＡ１の大きさと中心点を算出する。基準点調整部２３は、重複領域ＯＡ１から基準点ＰＴ３の移動方向及び移動距離を算出し、下層側に位置するレイアウト領域ＬＡ３の基準点ＰＴ５を求める。なお、基準点調整部２３により決められた基準点ＰＴ５を無効とし、レイアウト領域ＬＡ３に基準点ＰＴ３を設定することもできる。つまり、基準点ＰＴ３と基準点ＰＴ５のいずれを採用するかをユーザーの意志で決めることができる。また、レイアウト領域ＬＡ４を重複領域ＯＡ１の下層側に設定し、レイアウト領域ＬＡ４の基準点ＰＴ３を移動させることもできる。
【００３０】
トリミング領域決定部２４は、レイアウト領域ＬＡ３の基準点ＰＴ５と注目領域Ａ１の注目点ＰＴ１とが合致するように、静止画ＰＩＣ１のトリミング範囲を決定する。画像合成部２５は、基準点ＰＴ５に基づいて決められたトリミング領域に従って静止画ＰＩＣ１を切り出し、テンプレートＴＭ１に合成する。作成されたアルバム画像は、画像表示部１５に表示され、ユーザーはこれを確認することができる。この時、レイアウト領域ＬＡ３の基準点が調整されたアルバム画像と、基準点を調整していないアルバム画像とを見比べることができる。例えば、基準点を調整していないアルバム画像では、主要被写体の一部が他の静止画によって隠れてしまう等の不都合がある場合には、基準点の調整されたアルバム画像を選択する。これにより、ユーザーの選択したアルバム画像は、ＲＡＭ１７にアルバム画像データＡＤ１として記憶される。
【００３１】
同様にして、全ての静止画をテンプレートに合成し、アルバム画像を作成することができる。ＲＡＭ１７に記憶されたアルバム画像データＡＤ１は、操作パネル１６の操作によって、画像表示部１５にアルバム画像として表示することができる。なお、アルバム作成装置１０は、アルバム画像データＡＤ１を着脱自在な記憶媒体に複製できるようにすることが好ましく、又はパーソナルコンピュータ等に転送するためのインターフェースを設けてもよい。
【００３２】
以上のように、本発明の実施形態について説明したが、本発明は上記実施形態に限られず、適宜の変更が可能である。例えば、上記実施形態のアルバム作成装置１０は、アルバム画像を作成するための装置として構成されているが、アルバム作成プログラムＰＧ１が組み込まれたデジタルスチルカメラ、又はパーソナルコンピュータによってアルバム画像を作成するようにしてもよい。また、アルバム画像を作成する際には、デジタルスチルカメラにより撮影された画像以外にも、写真フイルムをスキャンして得られたカラー画像、カラー原稿をスキャンして得られた画像を使用することができる。
【００３３】
本発明においては、レイアウト領域に静止画を合成する前、又は合成した後に関わらず、重複領域が発生した時点、及び重複領域の位置や大きさが変化した時点でレイアウト領域の基準点を移動し、これを表示するようにしてもよい。また、上記実施形態では、各静止画に注目領域を設定し、注目領域の中心点を注目点としているが、これに限らず、注目点を直接指定し、注目点に合わせてトリミング領域を自動で決定するようにしてもよい。
【図面の簡単な説明】
【００３４】
【図１】アルバム作成装置の主要な構成を示すブロック図である。
【図２】静止画に注目領域を設定する様子を示す説明図である。
【図３】テンプレートの編集により生じる重複領域を示す説明図である。
【図４】アルバム作成処理の流れを示すフローチャートである。
【図５】基準点調整後のアルバム画像と基準点無調整のアルバム画像を示す説明図である。
【符号の説明】
【００３５】
１０  アルバム作成装置
２０  注目領域設定部
２１  テンプレート編集部
２２  重複領域検出部
２３  基準点調整部
２４  トリミング領域決定部
２５  画像合成部
ＰＧ１  アルバム作成プログラム
ＴＤ１  テンプレートデータ
ＰＤ１  画像データ
ＡＤ１  アルバム画像データ
ＰＩＣ１，ＰＩＣ２  静止画
ＴＭ１  テンプレート
ＬＡ１，ＬＡ２，ＬＡ３，ＬＡ４  レイアウト領域
Ａ１，Ａ２  注目領域
ＰＴ１，ＰＴ２  注目点
ＰＴ３，ＰＴ４，ＰＴ５  基準点
ＯＡ１  重複領域
【図１】
2007013467.tif 000003
【図２】
2007013467.tif 000004
【図３】
2007013467.tif 000005
【図４】
2007013467.tif 000006
【図５】
2007013467.tif 000007